(57)【要約】【課題】  スプーンの柄の先端に下方に延びる板状部を設け、柄、板状部の上方が内容物に接触しないようにして、容器本体に収納できるスプーン付き容器を提供すること。【解決手段】  容器本体と蓋体、容器本体に取付けられたスプーンとからなるスプーン付き容器であって、容器本体の開口端に設けられた嵌合口部に、係止片が設けられており、スプーンは、一定の深さを有する底壁を具えた掬い部と、柄部とからなり、柄部は、掬い部の上面から延び、先端に係止片に係止される掛止片を垂設し、下面に掛止片から一定間隔をおいて長手方向に延びる保持板を垂設していることを特徴とする。【選択図】  図１
2008296929.tif 000002
【特許請求の範囲】
【請求項１】
容器本体と蓋体、容器本体に取付けられたスプーンとからなるスプーン付き容器であって、
容器本体の開口端に設けられた嵌合口部に、係止片が設けられており、
スプーンは、一定の深さを有する底壁を具えた掬い部と、柄部とからなり、
柄部は、掬い部の上面から延び、先端に係止片に係止される掛止片を垂設し、下面に掛止片から一定間隔をおいて長手方向に延びる保持板を垂設していることを特徴とするスプーン付き容器。
【請求項２】
容器本体と蓋体、容器本体に取付けられたスプーンとからなるスプーン付き容器であって、
スプーンは、一定の深さを有する底壁を具えた掬い部と、柄部とからなり、
柄部の先端に、下方に延びる傾斜板を連設し、該傾斜板の下端に水平板とその端部から斜め上方に延びる可撓板を連設したことを特徴とするスプーン付き容器。
【請求項３】
スプーンの柄部に透孔を穿孔し、蓋体の頂壁に、前記透孔に嵌挿される支持凸部を設けたことを特徴とする請求項２記載のスプーン付き容器。
【請求項４】
容器本体と蓋体、容器本体に取付けられたスプーンとからなるスプーン付き容器であって、
スプーンは、一定の深さを有する底壁を具えた掬い部と、柄部とからなり、
柄部の先端に、中央部に突出板を突設し、その両側端部に傾斜部と水平部、屈曲部とからなるベント部を連設したことを特徴とするスプーン付き容器。
【請求項５】
突出板に透孔を設け、蓋体の頂壁の端部に、前記透孔に嵌挿される支持凸部を設けたことを特徴とする請求項４記載のスプーン付き容器。
【発明の詳細な説明】
【技術分野】
【０００１】
本発明は、スプーン付き容器、とくに食器洗機用洗剤等の取出し用のスプーンを容器内に収納した容器に関するものである。
【背景技術】
【０００２】
粉状洗剤等の粉粒体の容器にスプーンを封入した容器は、従来より周知であり、容器の開閉蓋の上面に収容凹部を設け、スプーンを取外し可能として収容するようにした容器も従来より知られている（例えば、特許文献１参照）。
【特許文献１】特開２０００−３０９３６３号公報
【発明の開示】
【発明が解決しようとする課題】
【０００３】
上記特許文献１記載の容器の収納凹部には、スプーン収容部が設けられ、スプーンの掬い部を係止するようにしている。
【０００４】
しかしながら、使用者にとっては、使用後のスプーンを、収容凹部に正確に取付けることは面倒であり、単に収容凹部に載置するようにしているときには、紛失のおそれがあった。
【０００５】
また、使用時に、スプーンで洗剤を取出すときに手指を汚してしまうことがあった。
とくに、洗剤が食器洗機用洗剤で、水まわりで使用する場合には、濡れた手で使用することが多いので、洗剤が手に付着したり、内容物を濡らすという問題が生じた。
【０００６】
また、内容物が食料品である場合には、スプーンの柄についた内容物に雑菌が付着するという問題があった。
【０００７】
本発明は、上記の問題点を解決することを課題とし、スプーンの柄の先端に下方に延びる板状部を設け、柄、板状部の上方が内容物に接触しないようにして、容器本体に収納できるスプーン付き容器を提供することを目的とする。
【課題を解決するための手段】
【０００８】
本発明は、上記の課題を解決するため、スプーン付き容器として、容器本体と蓋体、容器本体に取付けられたスプーンとからなるスプーン付き容器であって、容器本体の開口端に設けられた嵌合口部に、係止片が設けられており、スプーンは、一定の深さを有する底壁を具えた掬い部と、柄部とからなり、柄部は、掬い部の上面から延び、先端に係止片に係止される掛止片を垂設し、下面に掛止片から一定間隔をおいて長手方向に延びる保持板を垂設していることを特徴とする構成を採用する。
【０００９】
スプーン付き容器の他の実施例として、容器本体と蓋体、容器本体に取付けられたスプーンとからなるスプーン付き容器であって、スプーンは、一定の深さを有する底壁を具えた掬い部と、柄部とからなり、柄部の先端に、下方に延びる傾斜板を連設し、該傾斜板の下端に水平板とその端部から斜め上方に延びる可撓板を連設したことを特徴とする構成を採用する。
【００１０】
スプーンの支持方法として、スプーンの柄部に透孔を穿孔し、蓋体の頂壁に、前記透孔に嵌挿される支持凸部を設けたことを特徴とする構成を採用する。
【００１１】
スプーン付き容器の他の実施例として、容器本体と蓋体、容器本体に取付けられたスプーンとからなるスプーン付き容器であって、スプーンは、一定の深さを有する底壁を具えた掬い部と、柄部とからなり、柄部の先端に、中央部に突出板を突設し、その両側端部に傾斜部と水平部、屈曲部とからなるベント部を連設したことを特徴とする構成を採用する。
【００１２】
スプーンの他の支持方法として、突出板に透孔を設け、蓋体の頂壁の端部に、前記透孔に嵌挿される支持凸部を設けたことを特徴とする構成を採用する。
【発明の効果】
【００１３】
本発明は、スプーンが掬い部と柄部とからなり、柄部先端部に掬い部の低壁までの深さとほぼ同一の高さの保持板、或いは下端に水平板を連設した傾斜板を設けたので、保持板の下端部、或いは水平板が粉粒状の内容物の上面に載置、保持され、柄部が内容物に触れることはなく、内容物は付着しない。
したがって、スプーンの取出しにあたって、柄部をつかんでも内容物が手指に付着することはなく、とくに、水回りで使用しても、濡れた手指に内容物が付着しないので、粉粒状の食品などのスプーンとして好適である。
また、スプーンの柄部が内容物に接するように載置しても、保持板、または傾斜板を掴んで取出すことができ、スプーンを容器本体内に収納しておくことができる。
【発明を実施するための最良の形態】
【００１４】
次に本発明のスプーン付き容器について実施例をあげ、図面を参照して説明する。
【実施例１】
【００１５】
図１、２において、Ａは容器、Ｂはスプーンである。
容器Ａには、洗剤、とくに食器洗機用洗剤、或いは、塩、砂糖などの粉状食品などが収納されている。
【００１６】
容器Ａは、容器本体Ａ１と蓋体Ａ２とからなり、横断面は角部を円弧とした矩形、或いは長円形となっている。
容器本体Ａ１は、上端を開放端とした嵌合口部１と、下方が縮径する胴周壁２，および底壁３とからなっている。
嵌合口部１は、胴周壁２の前後面では上端まで延びており、胴周壁２の左右側２ａ、２ｂでは、胴周壁２の上端近くから左右に延びる上板４の周縁から上方に延びる嵌合部１ａが形成されている。
【００１７】
嵌合口部１は、胴周壁２より長手方向に拡径された長方形となっており、上板４に近接した位置に、全周にわたる突条５が設けられており、その上方には、膨出部６が設けられている。
上板４の内側縁には、スプーンＢを係止する係止片７が設けられている。
【００１８】
胴周壁２の下方には、段部８が設けられ、その内側から下方に底周壁９が垂設され、その下端は底壁３となっており、底壁３の下面には、突部１０が設けられている。
胴周壁２の内周には、段部８より立ち上がる複数の補強リブ１１が突設され、段部８と相まって容器底部を強化している。
【００１９】
図１、２に示すように、蓋体Ａ２は、頂壁１２と、頂壁１２の周縁から垂設された側周壁１３とからなり、頂壁１２には、凹部１４が設けられ、側周壁１３の内側には、容器本体Ａ１の嵌合口部１に嵌合する係合壁１５が垂設されている。
側周壁１３の内周縁下端には、嵌合口部１の膨出部６と係合する膨出部１６が設けられている。
【００２０】
スプーンＢは、掬い部２０と、柄部２１とを具えており、掬い部２０は、角錐状の側周壁２２と一定の深さを有する底壁２３とからなっており、側周壁２２の上端の掬い面から柄部２１の上面が延びている。
柄部２１の先端には、掛止片２４が垂設されており、掛止片２４から一定の間隔をおいて長手方向に延びる保持板２５が設けられている。
柄部２１上面から、保持板２５下端までの高さは、掬い部２０の側周壁２２の底壁２３までの高さとほぼ同一となっている。
【００２１】
次に、本実施例の使用態様と作用効果について説明する。
容器本体１には、所定量の粉粒状内容物が収納され、口部にスプーンＢが取付けられ、蓋体Ａ２が被嵌される。
【００２２】
スプーンＢの取付けにあたっては、図１に示すように、掬い部２０上面、柄部２１を上にして、掛止片２４を容器本体Ａ１の係止片７に係止させ、掬い部２０の底壁２３下面を内容物の上面近くに位置させる。
【００２３】
次いで、蓋体Ａ２を被せる。
蓋体Ａ２の側周壁１３は、嵌合口部１の外周に係合し、係合壁１５が嵌合口部１の内周に係合することによって蓋体Ａ２が嵌合され、側周壁１３の下端の膨出部１６が嵌合口部１の膨出部６の下側に係合し、容器本体Ａ１に被嵌され、閉蓋される。
そして、容器Ａの上から包装され、商品として出荷される。
【００２４】
使用にあたっては、蓋体Ａ２を開き、スプーンＢを取外し、柄部２１を掴んで、スプーンＢの掬い部２０で計量し、所望量の内容物を取出し、使用することができる。
内容物を取出した後に、スプーンＢを内容物の上に載置すると、図３に示すように、掬い部２０の底壁２３と保持板２５の下端が内容物の上面に支持され、柄部２１は、内容物から離れた位置に水平に保持される。
次に、スプーンＢを取出し、使用する場合には、柄部２１を掴んで持ち上げられるので、手指に内容物が付着することはない。
【００２５】
図３、４に示すように、内容物が少なくなった場合には、左右の側周壁２ａ、２ｂの間隔がスプーンＢの長さより狭くなるので、掬い部２０の側周壁２２の左側と、柄部２１の掛止片２４が、容器本体Ａ１の胴周壁２に接合し、その位置で保持される。
さらに、内容物が少なくなると、掬い部２０を下方にしてスプーンＢを傾斜させて、内容物上に保持される。
【００２６】
したがって、柄部２１を内容物中に押し入れるというようなことをしない限り、柄部２１には内容物が付着することはなく、仮に手指が濡れていても、内容物で手指を汚すことはない。
【００２７】
前記実施例では、スプーンＢの底壁２３を下面として内容物に載置するようにしたが、図５に示すように、底壁２３を上面として内容物上に載置するようにしてもよい。
この場合には、保持板２５を摘んで、スプーンＢを持ち上げれば手指を汚すことなくスプーンを使用できる。    
【００２８】
そして、いずれの場合でも、内容物の取出し、使用が終わったときには、スプーンＢを容器本体Ａ１内に入れておくだけでよいので、使用が簡単であり、スプーンを紛失することもない。
【実施例２】
【００２９】
次に、スプーンの形状と取付け方法を変更した第２実施例について説明する。
第１実施例と同一の構成部分には同一の符号を付して図示することにとどめ、説明を省略し、以下相違点を中心に説明する。
【００３０】
図６において、Ａは、容器本体Ａａ１と蓋体Ａａ２とからなる容器、Ｂａはスプーンである。
容器本体Ａａ１は、スプーンを取付けるための係止片を設けていないという点で、第１実施例と異なっている。
蓋体Ａａ２は、凹部１４の中央部に支持凸部３０を垂設しており、その他の構成は、第１実施例と同一である。
【００３１】
図６、７に示すように、スプーンＢａは、上面を掬い面とした掬い部３１と、掬い部３１に連設された柄部３２とからなっており、掬い部３１は、側周壁３３と底壁３４とから形成されている。
柄部３２は、一定の肉厚を有し、掬い面と同一面とした上面３５を有しており、柄部３２の中央部には、蓋体Ａａ２の支持凸部３０に嵌挿される透孔３６が穿孔されている。
柄部３２の先端部には、上面３５から下方に傾斜して延びる柄部３２の肉厚と同一の傾斜板３７が連設され、その下端から薄肉の短い水平板３８を介して斜め上方に延び、上端を直立部とした薄肉の可撓板３９が連設されている。
【００３２】
次に、本実施例の使用態様と作用効果について説明する。
図６に示すように、蓋体Ａａ２へのスプーンＢａの取付けは、掬い面３１ａを上にして、柄部３２の透孔３６を支持凸部３０に嵌着させ、取付けることができる。
取外しにあたっては、蓋体Ａａを開いて反転させ、柄部３２、または傾斜板３７の両側を掴んで蓋体Ａａ２から持ち上げると、簡単に取外すことができる。
【００３３】
使用にあたっては、内容物を取出した後に、スプーンＢａを内容物の上に載置すると、図８に示すように、掬い部３１の底壁３４と水平板３８によって内容物の上面に保持される。
そして、内容物が少なくなると、掬い部３１の左側の側周壁３３と、可撓板３９との間で挟まれて保持されるが、スプーンＢａを取出すときには、可撓板３９が水平板３８との接続部を支点として屈曲するので、簡単に取出すことができる。
【００３４】
内容物がさらに少なくなると、図９に示すように、可撓板３９が胴周壁に当接するとともに、掬い部３１が下降し、底壁３４が内容物の上面に保持される。
スプーンＢａの取出しにあたって、柄部３２を掴んで持ち上げると、簡単に取出すことができ、内容物が手指に付着することはなく、第１実施例と同等の作用効果を得ることができる。
【００３５】
前記実施例では、薄板状の可撓板３９を用いたが、ある程度肉厚とした屈曲板としてもよい。
【実施例３】
【００３６】
次に、スプーンの形状を変更した実施例３について説明する。
前記実施例では、スプーンの柄部の中央に透孔を設け、蓋体に取付けるようにしたが、柄部の先端に水平板と、可撓板とを設けているため、変形により可撓板が嵌合口部の上端に接して、蓋体が閉じられないという問題が生じることもあり、第３実施例は、それを防止するものである。
【００３７】
図１０、１１において、Ｂｂはスプーンであり、前記実施例と同様に掬い部４０と柄部４１とを具えている。
柄部４１の先端中央部には、突出板４２が突設されており、その根本部には透孔４３が穿孔されている。
先端両端の突出板４２の外側には、柄部４１の肉厚とほぼ同一の厚さと巾を有する傾斜部４４と水平部４５、および水平部４５に接続し、上方に延び、先端を係止突部とした屈曲部４６からなるベント部４７が連設されている。
【００３８】
蓋体Ａｂ２の頂壁凹部４８には、前記透孔４３に嵌挿する支持凸部４９が垂設されている。
【００３９】
本実施例では、透孔４３が突出板４２の根本部に穿孔され、支持凸部４９に嵌挿されるので、ベント部４７は正確に位置決めされ、容器本体Ａｂ１の口部に引っかかることなく、蓋体Ａｂ２を閉じることができる。
その他には、屈曲部４６は、柄部４１に対して屈曲性を有するので、スプーンの収納、取出しについては、前記各実施例とほぼ同等の作用効果を得ることができる。
【００４０】
前記各実施例では、スプーンの掬い部について、角錐状の側周壁を具えたものについて説明したが、掬い部の形状は、円錐状、台形状、楕円体状などでもよく、底壁までの深さが一定で、柄部が掬い部の底壁から上方にあって、内容物から離れていればよいので、掬い部の形状は、実施例に限定されない。
また、内容物を一定計量できる計量スプーンとしてもよい。
【００４１】
前記各実施例では、容器本体の胴周壁は下方を縮径するようにし、スプーンの柄部先端が当接し、柄部を取出し易くしたが、柄部は、内容物から離れていればよいので、胴周壁がストレートに延びるようにしてもよい。
【産業上の利用可能性】
【００４２】
本発明は、掬い部と柄部とからなるスプーンの柄部先端に掬い部底壁に対応する高さの保持板を設けたので、スプーンを容器内に収納しても、柄部が粉粒状内容物から離れて位置するので柄部に内容物が付着しないようになった。
そのため、食器洗機用洗剤、粉粒状の食品等のスプーンとして広く利用できる。
【図面の簡単な説明】
【００４３】
【図１】本発明スプーン付き容器の第１実施例の縦断面図である。
【図２】蓋体を反転させた状態の分解斜視図である。
【図３】使用中に、スプーンの掬い部底壁を下面にして置いたときの縦断面図である。
【図４】内容物が少なくなったときの縦断面図である。
【図５】スプーンを反転して置いたときの縦断面図である。
【図６】第２実施例のスプーン付き容器の縦断面である。
【図７】スプーンの説明図で、（ａ）は縦断面図、（ｂ）は斜視図である。
【図８】使用中に、スプーンの掬い部底壁を下面にして置いたときの縦断面図である。
【図９】内容物が少なくなったときの説明図である。
【図１０】蓋体とスプーンの取付け部の別実施例である。
【図１１】スプーンの説明図で、（ａ）は縦断面図、（ｂ）は斜視図である。
【符号の説明】
【００４４】
Ａ            容器
Ａ１、Ａａ１、Ａｂ１  容器本体
Ａ２、Ａａ２、Ａｂ２  蓋体
Ｂ、Ｂａ、Ｂｂ  スプーン
１            嵌合口部
１ａ          嵌合部
２            胴周壁
２ａ          左側
２ｂ          右側
３、２３、３４  底壁
４            上板
５            突条
６、１６      膨出部
７            係止片
８            段部
９            底周壁
１０          突部
１１          補強リブ
１２          頂壁
１３、２２、３３  側周壁
１４          凹部
１５          係合壁
２０、３１、４０  掬い部
２１、３２、４１  柄部
２４          掛止片
２５          保持板
３０、４９    支持凸部
３５          上面
３６          透孔
３７          傾斜板
３８          水平板
３９          可撓板
４２          突出板
４３          透孔
４４          傾斜部
４５          水平部
４６          屈曲部
４７          ベント部
４８          頂壁凹部
【図１】
2008296929.tif 000003
【図２】
2008296929.tif 000004
【図３】
2008296929.tif 000005
【図４】
2008296929.tif 000006
【図５】
2008296929.tif 000007
【図６】
2008296929.tif 000008
【図７】
2008296929.tif 000009
【図８】
2008296929.tif 000010
【図９】
2008296929.tif 000011
【図１０】
2008296929.tif 000012
【図１１】
2008296929.tif 000013